(57)【要約】    【課題】  ＩＣタグと確実な通信を行うことができ、通信速度の向上も図ることができるＩＣタグ用リーダ／ライタ及びＩＣタグ用リーダ／ライタを有する装置を得る。    【解決手段】  発振回路部２で複数の周波数の搬送波Ｓ１〜Ｓｍを生成し、制御回路部４は、記憶部５に記憶されているＩＣタグＩＣタグＩＴ１〜ＩＴｎのセレクトデータと通信プロトコル等の情報から、ＩＣタグＩＴ１〜ＩＴｎが取り付けられている環境に応じて、その環境に影響されにくい周波数の搬送波を、切替回路部３を用いて選択し、該選択した搬送波を用いてＩＣタグとの通信を行うようにした。【選択図】  図１
2005209002.tif 000002
【特許請求の範囲】
【請求項１】
通信周波数の異なる複数のＩＣタグに対してデータの書き込み及び読み出しを行うＩＣタグ用リーダ／ライタにおいて、
対応するＩＣタグと通信を行うためのそれぞれのリーダ／ライタ側アンテナを有し、該各リーダ／ライタ側アンテナから送受信される信号に対して変調又は復調を対応して行う通信回路部と、
周波数の異なる複数の搬送波をそれぞれ生成して出力する発振回路部と、
入力された制御信号に応じて、該発振回路部から出力された各搬送波の内１つを排他的に選択して出力する切替回路部と、
該切替回路部から出力された搬送波と前記送信データ信号を同期させて前記通信回路部にそれぞれ出力する制御回路部と、
前記各ＩＣタグの通信情報を記憶した記憶部と、
を備え、
前記各ＩＣタグは、使用される環境に応じて共振周波数があらかじめ設定されたＩＣタグ側アンテナがそれぞれ設けられており、前記制御回路部は、記憶部に記憶された通信情報から、通信を行う所望のＩＣタグに設けられたＩＣタグ側アンテナの共振周波数と同じ周波数の搬送波を選択するように前記切替回路部の動作制御を行うことを特徴とするＩＣタグ用リーダ／ライタ。
【請求項２】
前記発振回路部は、各ＩＣタグが取り付けられた環境条件に応じてあらかじめ設定された各周波数の搬送波をそれぞれ生成して出力することを特徴とする請求項１記載のＩＣタグ用リーダ／ライタ。
【請求項３】
前記発振回路部は、ＩＣタグ側アンテナが取り付けられた部分の材料に応じてあらかじめ設定された周波数の搬送波をそれぞれ生成して出力することを特徴とする請求項２記載のＩＣタグ用リーダ／ライタ。
【請求項４】
前記制御回路部は、ＩＣタグ側アンテナが取り付けられた部分が金属又は導電材料の場合は低周波の搬送波を、非金属又は非導電材料の場合は該低周波の搬送波よりも高い周波数の搬送波を選択することを特徴とする請求項２又は３記載のＩＣタグ用リーダ／ライタ。
【請求項５】
前記各リーダ／ライタ側アンテナは、対応するＩＣタグが有するＩＣタグ側アンテナに近接してそれぞれ配置されると共に、共振周波数を該対応するＩＣタグ側アンテナとそれぞれ同じであることを特徴とする請求項１記載のＩＣタグ用リーダ／ライタ。
【請求項６】
ＩＣタグが設けられた所定の機能を有する少なくとも１つのパーツを有し、該ＩＣタグに対してデータの書き込み及び読み出しを行うＩＣタグ用リーダ／ライタを有する装置において、
前記ＩＣタグ用リーダ／ライタは、
対応するＩＣタグと通信を行うためのそれぞれのリーダ／ライタ側アンテナを有し、該各リーダ／ライタ側アンテナから送受信される信号に対して変調又は復調を対応して行う通信回路部と、
周波数の異なる複数の搬送波をそれぞれ生成して出力する発振回路部と、
入力された制御信号に応じて、該発振回路部から出力された各搬送波の内１つを排他的に選択して出力する切替回路部と、
該切替回路部から出力された搬送波と前記送信データ信号を同期させて前記通信回路部にそれぞれ出力する制御回路部と、
前記各ＩＣタグの通信情報を記憶した記憶部と、
を備え、
前記各ＩＣタグは、使用される環境に応じて共振周波数があらかじめ設定されたＩＣタグ側アンテナがそれぞれ設けられており、前記制御回路部は、記憶部に記憶された通信情報から、通信を行う所望のＩＣタグに設けられたＩＣタグ側アンテナの共振周波数と同じ周波数の搬送波を選択するように前記切替回路部の動作制御を行うことを特徴とする装置。
【請求項７】
前記各リーダ／ライタ側アンテナは、対応するＩＣタグが有するＩＣタグ側アンテナに近接してそれぞれ配置されると共に、共振周波数を該対応するＩＣタグ側アンテナとそれぞれ同じであることを特徴とする請求項６記載の装置。
【請求項８】
前記各リーダ／ライタ側アンテナは、前記パーツの取り付け部に配置されることを特徴とする請求項７記載の装置。
【発明の詳細な説明】
【技術分野】
【０００１】
本発明は、特定のＩＣタグに対してデータの読み書きを行うＩＣタグ用リーダ／ライタに関し、特に、ＩＣタグが取り付けられている環境が異なっていても確実に通信を行うことができるＩＣタグ用リーダ／ライタ及びＩＣタグ用リーダ／ライタを有する装置に関するものである。
【背景技術】
【０００２】
図５は、従来のリーダ／ライタの構成例を示したブロック図である。
図５において、リーダ／ライタ１００は、ＩＣタグ１１０及び１２０からのデータ読み出し及びＩＣタグ１１０及び１２０へのデータ書き込みを行うものであり、発振回路部１０１、制御回路部１０２、変復調回路部１０３及びアンテナＡＮＴａで構成されている。また、ＩＣタグ１１０は、アンテナＡＮＴｂ１と変復調回路部１１１で構成され、ＩＣタグ１２０は、アンテナＡＮＴｂ２と変復調回路部１２１で構成されている。発振回路部１０１は、ＩＣタグ１１０及び１２０と無線通信を行うための搬送波を生成して出力する。周波数は１３.５６ＭＨｚが一般的に使用されるが、用途によっては１２０ＫＨｚ〜５００ＫＨｚの低周波や、２.４ＧＨｚのマイクロ波が用いられる場合もある。
【０００３】
例えば、ＩＣタグ１１０及び１２０にデータを書き込む場合、制御回路部１０２は、発振回路部１０１から出力された搬送波に重畳するデータ信号の入出力制御を行う。変復調回路部１０３は、制御回路部１０２から出力された搬送波とデータ信号を受けて、該搬送波にデータ信号に基づいた変調を施してアンテナＡＮＴａに出力する。アンテナＡＮＴａは変調されたデータを電波にして放出する。ＩＣタグ１１０及び１２０は、リーダ／ライタ１００から送られる電波を対応するアンテナＡＮＴｂ１及びＡＮＴｂ２で受信し、該受信した信号は、変復調回路部１１１又は１２１で復調する。
【０００４】
次に、リーダ／ライタ１００がＩＣタグ１１０のデータを読み出す場合について説明する。
リーダ／ライタ１００は、ＩＣタグ１１０とだけ通信を行うために、ＩＣタグ１１０をセレクトする信号とリードコマンドデータをＩＣタグ１１０とＩＣタグ１２０にそれぞれ送る。リーダ／ライタ１００からリードコマンドデータがＩＣタグ１１０に送られると、ＩＣタグ１１０は所望のデータを変復調回路部１１１で搬送波に変調を施し、ＩＣタグ１１０のアンテナＡＮＴｂから電波にして放出する。
【０００５】
このとき、ＩＣタグ１２０は、選択されていないためリードコマンドデータが届いてもデータの出力は行わない。リーダ／ライタ１００は、該電波をアンテナＡＮＴａで受信して、該受信した信号を変復調回路部１０３で復調し、制御回路部１０２で所望のデータを取り出す。同様に、ＩＣタグ１２０のデータを読み出す場合は、まずリーダ／ライタ１００からＩＣタグ１２０をセレクトする信号を送ってＩＣタグ１２０を選択すれば、前記ＩＣタグ１１０の場合と同様にデータ読み出しを行うことができる。
【０００６】
なお、従来においては、複数個の物品が重ねられた状態でリーダによりデータの一括読取が行われる場合でも、各々の動作用電源が適切に得ることができるＩＤタグ及びＩＤタグの受信電力制御制御方法があった（例えば、特許文献１参照。）。また、識別符号が付与されたタグを、無線周波帯の搬送波を用いて非接触にて確実に識別することにより、タグの取り付けられた物体を識別し、その物体を制御、管理する無線周波符号識別のための、多くの設計仕様に自動的に対応できる無線周波符号識別方法があった（例えば、特許文献２参照。）。
【特許文献１】特開２００２−２５９９２１号公報
【特許文献２】特開平７−２００７４９号公報
【発明の開示】
【発明が解決しようとする課題】
【０００７】
しかし、図５において、ＩＣタグとの通信で使用される周波数は１種類、又は中心周波数から限られた範囲にある複数の周波数が使用されていた。このため、搬送波に使用されている周波数の電波を遮蔽、又は減衰させてしまう環境にＩＣタグが取り付けられている場合は、該ＩＣタグとの通信を行うことができないという問題があった。
【０００８】
本発明は、上記のような問題を解決するためになされたものであり、ＩＣタグが取り付けられている環境に応じて、その環境に影響されにくい周波数の搬送波を選択してＩＣタグとの通信を行うようにして、ＩＣタグと確実な通信を行うことができ、ＩＣタグが取り付けられている環境の影響が小さい場合は、搬送波の周波数を高くしてデータ通信速度を上げるようにして通信速度の向上も図ることができるＩＣタグ用リーダ／ライタ及びＩＣタグ用リーダ／ライタを有する装置を得ることを目的とする。
【課題を解決するための手段】
【０００９】
この発明に係るＩＣタグ用リーダ／ライタは、通信周波数の異なる複数のＩＣタグに対してデータの書き込み及び読み出しを行うＩＣタグ用リーダ／ライタにおいて、
対応するＩＣタグと通信を行うためのそれぞれのリーダ／ライタ側アンテナを有し、該各リーダ／ライタ側アンテナから送受信される信号に対して変調又は復調を対応して行う通信回路部と、
周波数の異なる複数の搬送波をそれぞれ生成して出力する発振回路部と、
入力された制御信号に応じて、該発振回路部から出力された各搬送波の内１つを排他的に選択して出力する切替回路部と、
該切替回路部から出力された搬送波と前記送信データ信号を同期させて前記通信回路部にそれぞれ出力する制御回路部と、
前記各ＩＣタグの通信情報を記憶した記憶部と、
を備え、
前記各ＩＣタグは、使用される環境に応じて共振周波数があらかじめ設定されたＩＣタグ側アンテナがそれぞれ設けられており、前記制御回路部は、記憶部に記憶された通信情報から、通信を行う所望のＩＣタグに設けられたＩＣタグ側アンテナの共振周波数と同じ周波数の搬送波を選択するように前記切替回路部の動作制御を行うものである。
【００１０】
具体的には、前記発振回路部は、各ＩＣタグが取り付けられた環境条件に応じてあらかじめ設定された各周波数の搬送波をそれぞれ生成して出力するようにした。
【００１１】
また、前記発振回路部は、ＩＣタグ側アンテナが取り付けられた部分の材料に応じてあらかじめ設定された周波数の搬送波をそれぞれ生成して出力するようにした。
【００１２】
また、前記制御回路部は、ＩＣタグ側アンテナが取り付けられた部分が金属又は導電材料の場合は低周波の搬送波を、非金属又は非導電材料の場合は該低周波の搬送波よりも高い周波数の搬送波を選択するようにしてもよい。
【００１３】
また、前記各リーダ／ライタ側アンテナは、対応するＩＣタグが有するＩＣタグ側アンテナに近接してそれぞれ配置されると共に、共振周波数を該対応するＩＣタグ側アンテナとそれぞれ同じであるようにした。
【００１４】
また、この発明に係る装置は、ＩＣタグが設けられた所定の機能を有する少なくとも１つのパーツを有し、該ＩＣタグに対してデータの書き込み及び読み出しを行うＩＣタグ用リーダ／ライタを有する装置において、
前記ＩＣタグ用リーダ／ライタは、
対応するＩＣタグと通信を行うためのそれぞれのリーダ／ライタ側アンテナを有し、該各リーダ／ライタ側アンテナから送受信される信号に対して変調又は復調を対応して行う通信回路部と、
周波数の異なる複数の搬送波をそれぞれ生成して出力する発振回路部と、
入力された制御信号に応じて、該発振回路部から出力された各搬送波の内１つを排他的に選択して出力する切替回路部と、
該切替回路部から出力された搬送波と前記送信データ信号を同期させて前記通信回路部にそれぞれ出力する制御回路部と、
前記各ＩＣタグの通信情報を記憶した記憶部と、
を備え、
前記各ＩＣタグは、使用される環境に応じて共振周波数があらかじめ設定されたＩＣタグ側アンテナがそれぞれ設けられており、前記制御回路部は、記憶部に記憶された通信情報から、通信を行う所望のＩＣタグに設けられたＩＣタグ側アンテナの共振周波数と同じ周波数の搬送波を選択するように前記切替回路部の動作制御を行うものである。
【００１５】
また、前記各リーダ／ライタ側アンテナは、対応するＩＣタグが有するＩＣタグ側アンテナに近接してそれぞれ配置されると共に、共振周波数を該対応するＩＣタグ側アンテナとそれぞれ同じであるようにした。
【００１６】
具体的には、前記各リーダ／ライタ側アンテナは、前記パーツの取り付け部に配置されるようにした。
【発明の効果】
【００１７】
本発明のＩＣタグ用リーダ／ライタによれば、ＩＣタグが取り付けられている環境に応じて、該環境に影響されにくい周波数の搬送波を選んでＩＣタグとの通信を行うようにしたことから、ＩＣタグと確実な通信が行うことができる。更に、ＩＣタグが取り付けられている環境の影響が小さい場合は、搬送波の周波数を高くしてデータ通信速度を上げるようにしたことから、通信速度の向上を図ることができる。
【発明を実施するための最良の形態】
【００１８】
次に、図面に示す実施の形態に基づいて、本発明を詳細に説明する。
第１の実施の形態．
図１は、本発明の第１の実施の形態におけるＩＣタグ用リーダ／ライタの構成例を示した図である。
図１において、リーダ／ライタ１は、所定の複数の周波数の搬送波をそれぞれ生成して出力する発振回路部２と、入力された制御信号に応じて発振回路部２から出力された各搬送波の内１つを選択して出力する切替回路部３と、切替回路部３の切り替え制御を行い切替回路部３からの搬送波に重畳するデータ信号の入出力を行う制御回路部４と、記憶部５と、変復調回路部ＭＤ１〜ＭＤｎ（ｎは、ｎ＞１の整数）と、リーダ／ライタ側アンテナＡＮＴ１〜ＡＮＴｎとを備えている。なお、変復調回路部ＭＤ１〜ＭＤｎ及びリーダ／ライタ側アンテナＡＮＴ１〜ＡＮＴｎは通信回路部をなす。
【００１９】
発振回路部２は、第１周波数〜第ｍ（ｍは、１＜ｍ≦ｎの自然数）周波数の各搬送波Ｓ１〜Ｓｍを生成して切替回路部３に出力する。切替回路部３は、制御回路部４からの制御信号に応じて発振回路部２から入力されている各搬送波Ｓ１〜Ｓｍのいずれか１つを排他的に選択して制御回路部４に出力する。記憶部５は、通信を行う対象となるすべてのＩＣタグＩＴ１〜ＩＴｎの通信周波数や通信プロトコル等のデータを記憶しており、制御回路部４は、記憶部５に記憶されているこれらのデータを基に１つの搬送波を選択し、切替回路部３に対して、該選択した搬送波を出力するように動作制御を行う。
【００２０】
変復調回路部ＭＤ１〜ＭＤｎは、制御回路部４から出力された搬送波と送信データを示す信号を受けて、該搬送波に送信データ信号に基づいた変調を施して対応するリーダ／ライタ側アンテナＡＮＴ１〜ＡＮＴｎに送る。また、変復調回路部ＭＤ１〜ＭＤｎは、対応するリーダ／ライタ側アンテナＡＮＴ１〜ＡＮＴｎで受信された信号を復調し、該復調した信号を制御回路部４に出力する。制御回路部４は、該入力された信号からデータを取り出す。
ＩＣタグＩＴ１〜ＩＴｎのＩＣタグ側アンテナＡＮＴａ１〜ＡＮＴａｎは、対応するリーダ／ライタ側アンテナＡＮＴ１〜ＡＮＴｎに近接して配置されている。リーダ／ライタ側アンテナＡＮＴｋ（ｋ＝１〜ｎ）とＩＣタグ側アンテナＡＮＴａｋの共振周波数は同じ第ｋ周波数に設定されており、基本的には、リーダ／ライタ側アンテナＡＮＴｋを介して通信を行うＩＣタグはＩＣタグＩＴｋだけである。
【００２１】
ただし、１つのリーダ／ライタ側アンテナの近傍に複数のＩＣタグ側アンテナを配置することができ、同じ周波数で通信することができる場合は、リーダ／ライタ１側の１組の変復調回路部とリーダ／ライタ側アンテナで、複数のＩＣタグと通信を行うこともできる。
リーダ／ライタ１がＩＣタグＩＴｋと通信を行う場合は、制御回路部４は記憶部５に記憶されているＩＣタグＩＴｋの共振周波数のデータを読み取り、該読み取った共振周波数を選択する信号を切替回路部３に送る。切替回路部３は、制御回路部４からの信号に応じた周波数の搬送波を選択して制御回路部４に出力する。制御回路部４は、更に、記憶部５に記憶されているＩＣタグＩＴｋのセレクトデータと、通信プロトコル等の情報を取り出し、入力された搬送波と共に変復調回路部ＭＤｋに出力する。
【００２２】
変復調回路ＭＤｋでは、該搬送波にデータ信号に基づいた変調を施して対応するリーダ／ライタ側アンテナＡＮＴｋに送る。リーダ／ライタ側アンテナＡＮＴｋから放出された電波をＩＣタグＩＴｋのＩＣタグ側アンテナＡＮＴａｋで受信し、該受信した信号を変復調回路部ＭＤａｋで復調する。
リーダ／ライタ側アンテナＡＮＴｋから送信された電波と同じ周波数の搬送波を使用した電波が他のリーダ／ライタ側アンテナから送信されることは、制御回路部４によって禁止することができる。
【００２３】
また、制御回路部４がこのような禁止機能を保有していない場合でも、リーダ／ライタ１の他の変復調回路部に変復調回路部ＭＤｋと同じ信号が送られ、リーダ／ライタ側アンテナＡＮＴｋ以外のアンテナからも第ｋ周波数の電波が放出されるが、リーダ／ライタ側アンテナＡＮＴｋ以外のアンテナは離れており、リーダ／ライタ側アンテナＡＮＴｋ以外のアンテナから送信される電波は弱い。
更に、ＩＣタグＩＴｋ以外のＩＣタグのＩＣタグ側アンテナの共振周波数も第ｋ周波数でないことから、ＩＣタグＩＴｋ以外のＩＣタグのＩＣタグ側アンテナに誘導される信号は非常に弱く、通信を行うことはできない。
【００２４】
リーダ／ライタ１がＩＣタグＩＴｋ以外のＩＣタグ、例えばＩＣタグＩＴ２と通信を行う場合は、制御回路部４は、切替回路部３に該ＩＣタグＩＴ２に対応した第２周波数の搬送波Ｓ２を選択し、記憶部５に記憶されている該ＩＣタグＩＴ２のセレクトデータと、通信プロトコル等の情報を、第２周波数の搬送波Ｓ２と共に変復調回路部ＭＤ２に出力することで、ＩＣタグＩＴｋの場合と同様にＩＣタグＩＴ２だけと通信を行うことができる。
【００２５】
ＩＣタグとリーダ／ライタとの通信速度は、搬送波の周波数が高いほど速くなるので、リーダ／ライタとＩＣタグとの間で通信を行う周波数は、ＩＣタグが取り付けられている環境や、必要な通信速度に応じて変える。
ＩＣタグが取り付けられている部分、例えば面の材質が金属や導電材料である場合は、これらの材質の影響を受けにくい１２０ｋＨｚから５００ｋＨｚの低周波数を選択する。また、ＩＣタグが非金属や絶縁材料等に取り付けられている場合は、１３.５６ＭＨｚの高周波を使用し、通信速度も速くすることができる。
【００２６】
更に、要求される通信速度と、ＩＣタグ取り付け部分の環境によって、９００ｋＨｚや２.４ＧＨｚ等の周波数も選択可能である。
なお、図１では、発振回路部２は、複数の搬送波Ｓ１〜Ｓｍを生成して出力するようにしたが、図２で示すように、発振回路部２は１つの搬送波、例えば搬送波Ｓ１を生成して出力し、分周回路部１０で該搬送波Ｓ１を分周して搬送波Ｓ２〜Ｓｍを生成して出力するようにしてもよい。図２では、図１と同じもの又は同様のものは同じ符号で示しており、ここではその説明を省略すると共に図１との相違点のみ説明する。
図２において、発振回路部２ａで生成された搬送波Ｓ１は、切替回路部３及び分周回路部１０にそれぞれ出力され、分周回路部１０は、入力された搬送波Ｓ１を異なる分周比で分周して搬送波Ｓ２〜Ｓｍをそれぞれ生成して切替回路部３に出力する。
【００２７】
また、図２において、切替回路部３及び分周回路部１０の動作を制御回路部４によってソフトウエア処理で行うようにしてもよく、このようにした場合、図２は図３のようになる。図３における図２との相違点は、図２の切替回路部３及び分周回路部１０をなくし、図２の制御回路部４を制御回路部４ａにした。図３において、発振回路部２ａから出力された搬送波Ｓ１は制御回路部４ａに入力され、制御回路部４ａは、入力された搬送波Ｓ１から搬送波Ｓ２〜Ｓｍを生成する機能を備えている。リーダ／ライタ１がＩＣタグＩＴｋと通信を行う場合は、制御回路部４ａは、記憶部５に記憶されているＩＣタグＩＴｋの共振周波数のデータを読み取り、該読み取った共振周波数の搬送波を生成する。
【００２８】
制御回路部４ａは、更に、記憶部５に記憶されているＩＣタグＩＴｋのセレクトデータと、通信プロトコル等の情報を取り出し、生成した搬送波と共に変復調回路部ＭＤｋに出力する。なお、制御回路部４ａは、記憶部５に記憶されているＩＣタグＩＴｋの共振周波数の搬送波が搬送波Ｓ１である場合、記憶部５に記憶されているＩＣタグＩＴｋのセレクトデータと、通信プロトコル等の情報を発振回路部２ａから入力された搬送波Ｓ１と共に変復調回路部ＭＤｋに出力する。
【００２９】
次に、図４は、本第１の実施の形態におけるリーダ／ライタを複写機やプリンタ等の装置に応用した場合の例を示したものである。なお、図４では、図１の発振回路部２、切替回路部３、制御回路部４、記憶部５及び変復調回路部ＭＤ１，ＭＤ２を回路部６として示している。
図４において、装置１１には複数のパーツ１５，１６が取り付け部１２に取り付けられている。例えば、装置１１が複写機やプリンタ等の場合、パーツ１５，１６としてはトナー部等が考えられる。装置１１の性能を確保するため、該パーツ１５，１６の各情報をそれぞれチェックする必要がある。そこで、パーツ１５，１６にＩＣタグＩＴ１，ＩＴ２を取り付け、リーダ／ライタ１で各パーツ１５，１６に取り付けられたＩＣタグＩＴ１，ＩＴ２の情報を確認する。
【００３０】
パーツ１５には、ＩＣタグＩＴ１が取り付けられている。該取り付け位置は、パーツ１５を装置１１に取り付けるための取り付け部１２付近に設ける。ＩＣタグＩＴ１と通信を行うリーダ／ライタ１のリーダ／ライタ側アンテナＡＮＴ１は、装置１１の取り付け部１２に配置され、しかもパーツ１５に取り付けられたＩＣタグＩＴ１にできるだけ近い位置に取り付ける。パーツ１６に取り付けられたＩＣタグＩＴ２とリーダ／ライタ側アンテナＡＮＴ２の取り付け位置についても同様である。
【００３１】
パーツ１５の材質が非金属又は絶縁材料であれば、ＩＣタグＩＴ１と通信を行う第１周波数は１３.５６ＭＨｚ等の高周波を選択することにより、データの転送速度を速くすることができる。また、パーツ１６のように材質が金属又は導電材料の場合は、金属にも影響を受けにくい通信周波数として１２０ｋＨｚから５００ｋＨｚの低周波を選択する。更に、パーツの材質と必要な通信速度の兼ね合いで上記以外の周波数、例えば９００ｋＨｚや２.４ＧＨｚ等を使用することもできる。
【００３２】
装置１１には複数のパーツが取り付け部１２に取り付けられている。装置１１の性能を確保するため、各パーツの情報をチェックする必要がある。そこで、図４で示すように、各パーツにＩＣタグを取り付け、リーダ／ライタで各パーツに取り付けられたＩＣタグの情報を確認するようにすればよい。
なお、図４では、パーツの数が２つの場合を例に示したが、装置１１に取り付けるすべてのパーツにＩＣタグを取り付けることもできる。
【００３３】
このように、本第１の実施の形態におけるリーダ／ライタは、ＩＣタグＩＴ１〜ＩＴｎが取り付けられている環境に応じて、その環境に影響されにくい周波数の搬送波を選択してＩＣタグとの通信を行うようにした。このため、ＩＣタグとの確実な通信を行うことができ、更にＩＣタグが取り付けられている環境の影響が小さい場合は、搬送波の周波数を高くしてデータ通信速度を上げるようにして通信速度の向上を図ることができる。
【図面の簡単な説明】
【００３４】
【図１】本発明の第１の実施の形態におけるＩＣタグ用リーダ／ライタの構成例を示した図である。
【図２】本発明の第１の実施の形態におけるＩＣタグ用リーダ／ライタの他の構成例を示した図である。
【図３】本発明の第１の実施の形態におけるＩＣタグ用リーダ／ライタの他の構成例を示した図である。
【図４】図１のＩＣタグ用リーダ／ライタ１を装置に応用した場合の例を示したものである。
【図５】従来のリーダ／ライタの構成例を示したブロック図である。
【符号の説明】
【００３５】
１  リーダ／ライタ
２  発振回路部
３  切替回路部
４  制御回路部
５  記憶部
１１  装置
１２  取り付け部
１５，１６  パーツ
ＭＤ１〜ＭＤｎ，ＭＤａ１〜ＭＤａｎ  変復調回路部
ＡＮＴ１〜ＡＮＴｎ  リーダ／ライタ側アンテナ
ＡＮＴａ１〜ＡＮＴａｎ  ＩＣタグ側アンテナ
ＩＴ１〜ＩＴｎ  ＩＣタグ
【図１】
2005209002.tif 000003
【図２】
2005209002.tif 000004
【図３】
2005209002.tif 000005
【図４】
2005209002.tif 000006
【図５】
2005209002.tif 000007